(57)【要約】【課題】沈降速度の速いスッテ１２の提供。【解決手段】スッテ１２は、ボディ１４、針部１６、ラインアイ１８及び夜光ビーズ２０を有している。ボディ１４は、主部２８と重錘３０とを有している。重錘３０の密度は、主部２８の密度よりも大きい。主部２８の密度Ｄ１に対する、重錘３０の密度Ｄ２の比（Ｄ２／Ｄ１）は、１．４以上である。主部２８の典型的な材質は、鉛又は鉛合金である。重錘３０の典型的な材質は、タングステン又はタングステン合金である。重錘３０は、埋設部３２と露出部３４とを有している。埋設部３２は、主部２８にくるまれている。露出部３４は、主部２８にくるまれていない。埋設部３２は、第二細径部４４と、この第二細径部４４よりもヘッド寄りに位置する太径部４６とを有している。【選択図】図３
2017121216.tif 000002
【特許請求の範囲】
【請求項１】
ボディと針部とを備えており、
上記ボディが、主部と、この主部の密度よりも大きな密度を有する重錘とを有しており、
上記重錘が、上記主部にくるまれた埋設部と、上記主部よりもテール寄りに位置する露出部とを有しているスッテ。
【請求項２】
上記埋設部が、細径部と、この細径部よりもヘッド寄りに位置する太径部とを有しており、
上記太径部が上記主部にくるまれることにより、上記重錘の上記主部からの脱抜が阻止されている請求項１に記載のスッテ。
【請求項３】
上記重錘が穴を有しており、上記針部が軸を有しており、上記穴に上記軸が挿入されることにより、上記針部が上記重錘に固定されている請求項１又は２に記載のスッテ。
【請求項４】
上記主部の密度Ｄ１に対する、上記重錘の密度Ｄ２の比（Ｄ２／Ｄ１）が、１．４以上である請求項１から３のいずれかに記載のスッテ。
【請求項５】
上記主部の密度が１０．０ｇ／ｃｍ３以上であり、上記重錘の密度が１８．０ｇ／ｃｍ３以上である請求項１から４のいずれかに記載のスッテ。
【請求項６】
上記主部の材質が鉛又は鉛合金であり、上記重錘の材質がタングステン又はタングステン合金である請求項１から５のいずれかに記載のスッテ。
【請求項７】
上記ボディの高さＨ１に対する、上記重錘の高さＨ３の比（Ｈ３／Ｈ１）が、０．４０以下である請求項１から６のいずれかに記載のスッテ。
【請求項８】
上記ボディの高さＨ１に対する、このボディの重心の高さＨ２の比（Ｈ２／Ｈ１）が、０．４５以下である請求項１から７のいずれかに記載のスッテ。
【請求項９】
上記露出部の高さＨ４の、上記重錘の高さＨ３に対する比（Ｈ４／Ｈ３）が、０．４０以上である請求項１から８のいずれかに記載のスッテ。
【発明の詳細な説明】
【技術分野】
【０００１】
本発明は、疑似餌に関する。詳細には、本発明は、イカ釣りに用いられる疑似餌の一種であるスッテに関する。
【背景技術】
【０００２】
疑似餌であるスッテは、古くから漁師により、イカ釣り用の漁具として用いられてきた。近年は、レジャーフィッシングのアイテムとして、スッテが普及している。レジャーフィッシング用のスッテが、株式会社シマノ発行の「２０１５シマノフィッシングタックルカタログ」に開示されている。
【０００３】
図７には、従来のスッテ２が示されている。このスッテ２は、ボディ４、ラインアイ６及び針部８を有している。ラインアイ６には、釣り糸１０が結ばれている。図７（ａ）には、水中で静止した状態のスッテ２が示されている。このときスッテ２は、ボディ４がほぼ鉛直方向に延在する姿勢をとる。
【０００４】
釣り人が釣り糸をしゃくり上げると、スッテ２は、図７（ｂ）に示されるように、上方へと移動する。しゃくり上げの動作が終わっても、スッテ２は、慣性によって回転する。そして、図７（ｂ）に示されるように、ラインアイ６よりも針部８が上方に位置する姿勢となる。その後にスッテ２は、ボディ４がほぼ鉛直方向に延在する姿勢に戻る。
【０００５】
このようなアクションが繰り返されると、イカはスッテ２を、動いている餌と勘違いする。そしてイカは、スッテ２に抱きつく。このとき、イカの触手が針部８に引っ掛かる。これにより、イカが釣り上げられる。
【０００６】
イカがいるレンジは、タナと称される。釣り人がスッテ２を海に投入すると、スッテ２は水中を沈降していく。スッテ２がタナに到着した後にしゃくり上げの動作がなされることで、イカがスッテ２に抱きつく。海に投入後、タナにまで到着する時間が短いスッテ２が、釣果の点で有利である。
【先行技術文献】
【非特許文献】
【０００７】
【非特許文献１】株式会社シマノ発行の「２０１５シマノフィッシングタックルカタログ」
【発明の概要】
【発明が解決しようとする課題】
【０００８】
従来のスッテ２では、沈降姿勢が悪いため、沈降速度が遅い。特に、図７（ｂ）に示された姿勢をとったスッテ２がさらに沈降させられるとき、その沈降速度は極めて遅い。
【０００９】
本発明の目的は、沈降速度の速いスッテの提供にある。
【課題を解決するための手段】
【００１０】
本発明に係るスッテは、ボディと針部とを備える。このボディは、主部と、この主部の密度よりも大きな密度を有する重錘とを有する。重錘は、主部にくるまれた埋設部と、主部よりもテール寄りに位置する露出部とを有する。
【００１１】
好ましくは、埋設部は、細径部と、この細径部よりもヘッド寄りに位置する太径部とを有する。この太径部が主部にくるまれることにより、重錘の主部からの脱抜が阻止されている。
【００１２】
好ましくは、重錘は穴を有しており、針部は軸を有している。この穴に軸が挿入されることにより、針部が重錘に固定されている。
【００１３】
好ましくは、主部の密度Ｄ１に対する、重錘の密度Ｄ２の比（Ｄ２／Ｄ１）は、１．４以上である。
【００１４】
好ましくは、主部の密度は１０．０ｇ／ｃｍ３以上であり、重錘の密度は１８．０ｇ／ｃｍ３以上である。
【００１５】
好ましくは、主部の材質は鉛又は鉛合金であり、重錘の材質はタングステン又はタングステン合金である。
【００１６】
好ましくは、ボディの高さＨ１に対する、重錘の高さＨ３の比（Ｈ３／Ｈ１）は、０．４０以下である。
【００１７】
好ましくは、ボディの高さＨ１に対する、このボディの重心の高さＨ２の比（Ｈ２／Ｈ１）は、０．４５以下である。
【００１８】
好ましくは、露出部の高さＨ４の、重錘の高さＨ３に対する比（Ｈ４／Ｈ３）は、０．４０以上である。
【発明の効果】
【００１９】
本発明に係るスッテでは、着脱重錘の変更による質量の変更が可能である。この着脱重錘は、ボディから脱落しにくい。
【図面の簡単な説明】
【００２０】
【図１】図１は、本発明の一実施形態に係るスッテが示された斜視図である。
【図２】図２は、図１のスッテが示された正面図である。
【図３】図３は、図２のIII−III線に沿った断面図である。
【図４】図４は、図１のスッテの重錘が示された拡大正面図である。
【図５】図５は、図１のスッテが釣り糸と共に示された正面図である。
【図６】図６は、図１のスッテが釣り糸と共に示された正面図である。
【図７】図７は、従来のスッテが釣り糸と共に示された正面図である。
【発明を実施するための形態】
【００２１】
以下、適宜図面が参照されつつ、好ましい実施形態に基づいて本発明が詳細に説明される。
【００２２】
図１及び２に示されたスッテ１２は、ボディ１４、針部１６、ラインアイ１８及び夜光ビーズ２０を有している。このスッテ１２が使用されるとき、ボディ１４に布（図示されず）が巻かれる。この布に、着色が施される。布は、スッテ１２の触感を高める。イカは、布が巻かれたスッテ１２を好む。
【００２３】
ボディ１４の横断面は、円形である。ボディ１４は、ヘッド２２の近傍及びテール２４の近傍において細く、中間部分２６において太い。ボディ１４の太さは、ヘッド２２から中間部分２６に向けて徐々に太くなり、中間部分２６からテール２４に向けて徐々に細くなる。
【００２４】
ボディ１４は、主部２８と重錘３０とを有している。重錘３０の材質は、主部２８の材質とは異なる。重錘３０の密度は、主部２８の密度よりも大きい。主部２８の典型的な材質は、鉛又は鉛合金である。重錘３０の典型的な材質は、タングステン又はタングステン合金である。
【００２５】
図３は、図２のIII−III線に沿った断面図である。図４は、重錘３０が示された拡大正面図である。図３及び４に示されるように、重錘３０は、埋設部３２と露出部３４とを有している。埋設部３２は、主部２８のテール２４寄りの部分にくるまれている。露出部３４は、主部２８にくるまれていない。露出部３４は、主部２８よりもテール２４寄りに位置している。重錘３０は、穴３６を有している。穴３６は、重錘３０のテール側端３８で開口している。本実施形態では、穴３６は露出部３４を貫通しており、埋設部３２にまで至っている。
【００２６】
埋設部３２の横断面形状は、円である。埋設部３２は、第一細径部４０、フランジ部４２、第二細径部４４及び太径部４６を有している。フランジ部４２は、第一細径部４０よりもヘッド２２寄りに位置している。第二細径部４４は、フランジ部４２よりもヘッド２２寄りに位置している。太径部４６は、第二細径部４４よりもヘッド２２寄りに位置している。フランジ部４２の直径は、第一細径部４０の直径よりも大きい。太径部４６の直径は、第二細径部４４の直径よりも大きい。
【００２７】
後述されるように、イカは針部１６に引っ掛かる。イカが釣り上げられるとき、重錘３０には、図３における下向きに力がかかる。前述の通り、埋設部３２が主部２８にくるまれており、フランジ部４２の直径が第一細径部４０の直径よりも大きく、かつ太径部４６の直径が第二細径部４４の直径よりも大きいので、重錘３０に力がかかっても、この重錘３０の主部２８からの脱抜が阻止される。
【００２８】
針部１６は、ボディ１４のテール２４の近傍に位置する。針部１６は、軸４８、複数の前針５０及び複数の後針５２からなる。それぞれの前針５０は、軸４８の途中からヘッド２２側に向かって延びている。前針５０は、先細り形状である。複数の前針５０が、放射状に配列されている。これらの前針５０の集合は、傘針と称されている。それぞれの後針５２は、軸４８の端５４からヘッド２２側に向かって延びている。後針５２は、先細り形状である。複数の後針５２が、放射状に配列されている。これらの後針５２の集合は、傘針と称されている。イカがスッテ１２に抱きついたとき、イカの触手が前針５０又は後針５２に引っ掛かる。これにより、イカが釣り上げられる。軸４８の一部は、重錘３０の穴３６に挿入されている。軸４８は、接着剤で重錘３０に堅固に固定されている。
【００２９】
ラインアイ１８は、ボディ１４のヘッド２２側の端に位置する。ラインアイ１８は、金属線が曲げられて形成されている。金属線の後端は、主部２８に埋め込まれており、主部２８に堅固に固定されている。典型的には、金属線は、主部に鋳ぐるまれている。このラインアイ１８には、釣り糸１０（図５参照）が結ばれる。金具を介して、釣り糸１０がラインアイ１８に連結されてもよい。
【００３０】
図５には、沈降中のスッテ１２が示されている。このスッテ１２のラインアイ１８には、釣り糸１０が結ばれている。図５においてスッテ１２は、矢印Ａで示される方向に、沈降している。図５には、従来のスッテ２も示されている。従来のスッテ２は、二点鎖線で示されている。
【００３１】
前述の通り、重錘３０の密度は主部２８の密度よりも大きい。従って、このスッテ１２の重心は、比較的テール２４寄りにある。このスッテ１２が沈降するとき、図５に示されるように、ボディ１４がほぼ鉛直となる姿勢をとる。この姿勢は、二点鎖線で示された従来のスッテ２の姿勢とは異なる。このスッテ１２が沈降するときに受ける水の抵抗は、従来のスッテ２が沈降するときに受ける水の抵抗よりも小さい。このスッテ１２の沈降速度は、早い。このスッテ１２は、短時間でイカのタナに到達する。このスッテ１２では、優れた釣果が得られうる。
【００３２】
図６（ａ）には、水中で静止した状態のスッテ１２が示されている。このときスッテ１２は、ボディ１４がほぼ鉛直方向に延在する姿勢をとる。釣り人が釣り糸１０をしゃくり上げると、スッテ１２は、図６（ｂ）に示されるように、上方へと移動する。しゃくり上げの動作が終わっても、スッテ１２は、慣性によって回転する。そして、図６（ｂ）に示されるように、針部１６が上方に移動する。図６（ｂ）と図７（ｂ）との対比から明らかなように、従来のスッテ２に比べると、本発明に係るスッテ１２においては、針部１６の位置が低い。これは、スッテ１２の重心がテール２４寄りにあるからである。図６（ｂ）に示された状態で釣り糸１０が緩められると、スッテ１２は、早期にボディ１４がほぼ鉛直となる姿勢に戻る。そしてスッテ１２は、早期に沈降を始める。このスッテ１２では、優れた釣果が得られうる。
【００３３】
図３において、符号Ｐｃで示されている点は、ボディ１４の重心である。図３において、矢印Ｈ１で示されているのはボディ１４の高さであり、Ｈ２で示されているのは重心Ｐｃの高さである。スッテ１２の沈降速度の観点から、高さＨ１に対する高さＨ２の比（Ｈ２／Ｈ１）は０．４５以下が好ましく、０．４２以下がより好ましく、０．４０以下が特に好ましい。比（Ｈ２／Ｈ１）は、０．１以上が好ましい。
【００３４】
図３において矢印Ｈ３で示されているのは、重錘３０の高さである。ボディ１４の適正な重心位置の観点から、高さＨ１に対する高さＨ３の比（Ｈ３／Ｈ１）は０．４０以下が好ましく、０．３７以下がより好ましく、０．３５以下が特に好ましい。比（Ｈ３／Ｈ１）は、０．１以上が好ましい。
【００３５】
図３において矢印Ｈ４で示されているのは、露出部３４の高さである。ボディ１４の適正な重心位置の観点から、露出部３４の高さＨ４の、重錘３０の高さＨ３に対する比（Ｈ４／Ｈ３）は、０．４０以上が好ましく、０．４５以上がより好ましく、０．５０以上が特に好ましい。比（Ｈ４／Ｈ３）は、０．９以下が好ましい。
【００３６】
ボディ１４の適正な重心位置の観点から、主部２８の密度Ｄ１に対する重錘３０の密度Ｄ２の比（Ｄ２／Ｄ１）は１．４以上が好ましく、１．５以上がより好ましく、１．６以上が特に好ましい。比（Ｄ２／Ｄ１）は５．０以下が好ましい。
【００３７】
ボディ１４が大きな密度を有しうるとの観点から、主部２８の密度Ｄ１は１０．０ｇ／ｃｍ３以上が好ましく、１１．０ｇ／ｃｍ３以上が特に好ましい。
【００３８】
ボディ１４が大きな密度を有しうるとの観点から、重錘３０の密度Ｄ２は１８．０ｇ／ｃｍ３以上が好ましく、１９．０ｇ／ｃｍ３以上が特に好ましい。
【００３９】
このスッテ１２の製造では、まず重錘３０が成形される。重錘３０の成形には、焼結法、鋳造法等が採用されうる。次にこの重錘３０が、型にインサートされる。この型に、溶融金属が流し込まれる。典型的な金属は、前述の通り、鉛又は鉛合金である。この金属の融点は、低い。この溶融金属の温度は、重錘３０の融点よりも低い。この金属が冷却されて凝固し、主部２８が形成される。重錘３０のうち埋設部３２は、主部２８に鋳ぐるまれる。次に、針部１６の軸４８が、夜光ビースに通される、この軸４８に接着剤が塗られたのち、この軸４８が穴３６に挿入される。接着剤が乾燥し、針部１６が重錘３０と結合する。こうして、スッテ１２が完成する。その後にボディ１４は、布で覆われる。布がなくてもよい。
【産業上の利用可能性】
【００４０】
本発明に係るスッテは、種々の目・科に属するイカの釣りに用いられうる。このスッテは、タコ等の釣りにも用いられうる。
【符号の説明】
【００４１】
１２・・・スッテ
１４・・・ボディ
１６・・・針部
１８・・・ラインアイ
２８・・・主部
３０・・・重錘
３２・・・埋設部
３４・・・露出部
３６・・・穴
４０・・・第一細径部
４２・・・フランジ部
４４・・・第二細径部
４６・・・太径部
４８・・・軸
５０・・・前針
５２・・・後針
【図１】
2017121216.tif 000003
【図２】
2017121216.tif 000004
【図３】
2017121216.tif 000005
【図４】
2017121216.tif 000006
【図５】
2017121216.tif 000007
【図６】
2017121216.tif 000008
【図７】
2017121216.tif 000009